(57)【要約】【課題】睫毛化粧料を、睫毛を傷めることなく、均一かつ容易に塗布できるようにする。【解決手段】睫毛化粧料塗布具１が、離間又は密着し、密着時に睫毛の根元を上下から挟持する一対の睫毛押さえ部材３４、３５、及び睫毛押さえ部材３４、３５の離間又は密着と連動して離間又は近接する一対のしごき部材２２、２３を備え、一対のしごき部材２２、２３は、近接状態を維持したまま睫毛押さえ部材３４、３５に隣接した位置から睫毛の先端方向へ移動する。【選択図】図１
2007006969.tif 000002
【特許請求の範囲】
【請求項１】
離間又は密着し、密着時に睫毛の根元を上下から挟持する一対の睫毛押さえ部材、及び、一対の睫毛押さえ部材の離間又は密着と連動して離間又は近接する一対のしごき部材を備え、
一対のしごき部材は、近接状態を維持したまま睫毛押さえ部材に隣接した位置から睫毛の先端方向へ移動するよう構成された睫毛化粧料塗布具。
【請求項２】
軸を中心にして相対的に揺動する第１アームと第２アームを備え、
一対の睫毛押さえ部材は、第１アームと第２アームの第１段階の閉じ動作によって密着し、第２段階の閉じ動作によって離間し、第１アームと第２アームの開く動作によって離間状態を維持し、一対のしごき部材は、第１アームと第２アームの第１段階の閉じ動作によって近接し、第２段階の閉じ動作の間は近接状態を維持し、第１アームと第２アームの開く動作によって離間する請求項１記載の睫毛化粧料塗布具。
【請求項３】
請求項１記載の睫毛化粧料塗布具の一対のしごき部材の対向面に睫毛化粧料を供給し、一対の睫毛押さえ部材で睫毛の根元を挟持すると共に、一対のしごき部材を近接させて睫毛を緩く挟み、一対の睫毛押さえ部材で睫毛の根元を挟持しつつ、睫毛を緩く挟んだ一対のしごき部材を睫毛押さえ部材に隣接した位置から睫毛の先端方向に移動させることにより、睫毛をしごくとともに睫毛化粧料を塗布する睫毛化粧料の塗布方法。
【請求項４】
請求項２記載の睫毛化粧料塗布具の一対のしごき部材の対向面に睫毛化粧料を供給し、第１アームと第２アームを閉じる第１段階で、一対の睫毛押さえ部材で睫毛の根元を挟持すると共に、一対のしごき部材を近接させて睫毛を緩く挟み、一対の睫毛押さえ部材で睫毛の根元を挟持しつつ、睫毛を緩く挟んだ一対のしごき部材を睫毛押さえ部材に隣接した位置から睫毛の先端方向に移動させ、引き続き第１アームと第２アームを閉じる第２段階で、一対の睫毛押さえ部材を離間させ、睫毛から睫毛化粧料塗布具を離す睫毛化粧料の塗布方法。
【発明の詳細な説明】
【技術分野】
【０００１】
本発明は、マスカラ剤等の睫毛化粧料をしごきながら睫毛に塗布することのできる睫毛化粧料塗布具に関する。
【背景技術】
【０００２】
マスカラ剤を塗布するマスカラ塗布具は、一般に、軸部の一端に設けられたブラシ部と、他端に設けられた把持部と、ブラシ部のキャップとマスカラ剤の収容部とを兼ねる筒状のキャップ部とからなっており、マスカラ剤が付着したブラシ部をキャップ部から取り出すときに余分なマスカラ剤をしごき落とせるように、キャップ部内にはしごき部材が取り付けられている。
【０００３】
しかしながら、従来のしごき部材によると、キャップ部から取り出したブラシ部は、その中心部にはマスカラ剤が保持されているが、外周部にはほとんどマスカラ剤が保持されていない。そのため、睫毛にマスカラ剤を塗布する際に、ブラシ部の中心部に睫毛が入り込まないと睫毛にマスカラ剤を塗布することができず、反対に、睫毛がブラシ部の中心部に入り込みすぎると多量のマスカラ剤が付着してだまになり、睫毛の一本一本に均一にマスカラ剤を塗布することができないという問題がある。
【０００４】
これに対しては、マスカラ塗布具のしごき部材を特定の大きさと形状にすることが提案されているが（特許文献１）、睫毛の長さや量、ブラシの使い方、マスカラ剤の粘性等によって睫毛に付着するマスカラ剤の量が異なるため、このマスカラ剤塗布具によってもマスカラ剤を均一に塗布するのが難しい場合がある。
【０００５】
また、円弧を描くように睫毛をカールさせ、かつ睫毛にマスカラ剤を均一に塗布できるようにするものとして、ローラーを用いてマスカラ剤を塗布するローラー式睫毛カーラーが提案されている（特許文献２）。しかしながら、このローラー式睫毛カーラーは、湾曲したシャフトを軸としてローラーを回転させるので構造上無理があり、また、睫毛を硬質ローラーと弾性体ローラーで強力に挟みつつこれらのローラーを回転させるので、睫毛が傷みやすい。
【０００６】
なお、睫毛をカールさせる化粧用具としては、鋏状に開閉する指掛け部を操作することにより、睫毛を上下から押圧片で押圧できるようにした睫毛カーラーが普及している（特許文献３）。
【０００７】
【特許文献１】特開２００３−１８０４４７号公報
【特許文献２】特開２０００−１９７５１４号公報
【特許文献３】特開２００４−２３６７３５号公報
【発明の開示】
【発明が解決しようとする課題】
【０００８】
上述した従来技術の問題点に対し、本発明は、誰もが睫毛を傷めることなく、均一かつ容易に、睫毛にマスカラ剤等の睫毛化粧料を塗布できるようにすることを目的とする。
【課題を解決するための手段】
【０００９】
本発明者は、マスカラ剤等の睫毛化粧料を睫毛に塗布する操作として、まず、睫毛の根元を挟持し、次いで、睫毛の根元を挟持したまま、睫毛を根元から先端方向へ、睫毛を過度に押圧することなくしごくと、睫毛を傷めることなく、睫毛化粧料を均一に睫毛に塗布することができ、また、このような睫毛化粧料の塗布操作を、鋏状に開閉するアームの１回の開閉操作で行えるようにすると、誰もが容易に睫毛化粧料を塗布することができ、上述の目的を達成できることを見出した。
【００１０】
即ち、本発明は、離間又は密着し、密着時に睫毛の根元を上下から挟持する一対の睫毛押さえ部材、及び、一対の睫毛押さえ部材の離間又は密着と連動して離間又は近接する一対のしごき部材を備え、
一対のしごき部材は、近接状態を維持したまま睫毛押さえ部材に隣接した位置から睫毛の先端方向へ移動するよう構成された睫毛化粧料塗布具を提供し、特に、この睫毛化粧料塗布具において、軸を中心にして相対的に揺動する第１アームと第２アームを備え、
一対の睫毛押さえ部材は、第１アームと第２アームの第１段階の閉じ動作によって密着し、第２段階の閉じ動作によって離間し、第１アームと第２アームの開く動作によって離間状態を維持し、一対のしごき部材は、第１アームと第２アームの第１段階の閉じ動作によって近接し、第２段階の閉じ動作の間は近接状態を維持し、第１アームと第２アームの開く動作によって離間する態様を提供する。
【００１１】
また、本発明は、上述の睫毛化粧料塗布具の一対のしごき部材の対向面に睫毛化粧料を供給し、一対の睫毛押さえ部材で睫毛の根元を挟持すると共に、一対のしごき部材を近接させて睫毛を緩く挟み、前記一対の睫毛押さえ部材で睫毛の根元を挟持しつつ、睫毛を緩く挟んだ一対のしごき部材を睫毛押さえ部材に隣接した位置から睫毛の先端方向に移動させることにより、睫毛化粧料が付着した睫毛をしごくとともに睫毛化粧料を塗布する睫毛化粧料の塗布方法を提供し、特に、この睫毛化粧料の塗布方法において、第１アームと第２アームを閉じる第１段階で、一対の睫毛押さえ部材で睫毛の根元を挟持すると共に、一対のしごき部材を近接させて睫毛を緩く挟み、一対の睫毛押さえ部材で睫毛の根元を挟持しつつ、睫毛を緩く挟んだ一対のしごき部材を睫毛押さえ部材に隣接した位置から睫毛の先端方向に移動させ、引き続き第１アームと第２アームを閉じる第２段階で、一対の睫毛押さえ部材を離間させ、睫毛から睫毛化粧料塗布具を離す態様を提供する。
【発明の効果】
【００１２】
本発明の睫毛化粧料塗布具によれば、睫毛化粧料が供給された睫毛の根元を睫毛押さえ部材で挟持すると共にしごき部材で睫毛を緩く挟み、睫毛押さえ部材で睫毛の根元を挟持しつつ、睫毛を緩く挟んだしごき部材で、睫毛をその先端方向にしごくので、睫毛を傷めることなく、睫毛化粧料を睫毛にだまにして残すことなく、均一に塗布することが可能となる。さらに、このような睫毛化粧料の塗布を、第１アームと第２アームの開閉操作により行うと、誰もが容易に睫毛化粧料を塗布できるようになる。
【発明を実施するための最良の形態】
【００１３】
以下、図面を参照しつつ本発明を詳細に説明する。なお、各図中、同一符号は同一又は同等の構成要素を表している。
【００１４】
図１（ａ）は、本発明の一態様の睫毛化粧料塗布具１の第１アーム１０と第２アーム３０が開いた状態の側面図であり、図１（ｂ）はそれを睫毛に当てる側から見た正面図、図１（ｃ）はその斜視図である。
【００１５】
この睫毛化粧料塗布具１では、第１アーム１０とアームホルダ２０が第１支点１１を回転軸として回動可能に接合し、第２アーム３０とアームホルダ２０が第２支点３１を回転軸として回動可能に接合しており、第１アーム１０と第２アーム３０は、鋏状に開閉する。
【００１６】
第２アーム３０は、第２支点３１を中心にして一方は指掛け部３２となっており、他方は二股状に分岐した支柱３３となっている。支柱３３の端部には、上睫毛押さえ部材３４と下睫毛押さえ部材３５からなる一対の睫毛押さえ部材が設けられている。このうち、上睫毛押さえ部材３４は、第２アーム３０から分岐した支柱３３の上端部に固定されている。また、支柱３３にはスリット３６が形成されており、スリット３６には該スリット３６に沿って上下に移動するリンク３７が掛合している。リンク３７は、その上部３７ａと下部３７ｂが、スプリング等のバネ材３８で接続された構造を有し、リンクの上部３７ａに、下睫毛押さえ部材３５が取り付けられている。また、上睫毛押さえ部材３４と下睫毛押さえ部材３５の対向面には、これらの間で睫毛を確実に挟持できるように、シリコーンゴム等の弾性体が設けられている。
【００１７】
一方、アームホルダ２０は、第２支点３１より上方が、第２アーム３０の二股状に分岐した支柱３３と略重なるように、二股に分岐した支柱２１となっている。支柱２１の端部には、上しごき部材２２と下しごき部材２３からなる一対のしごき部材が設けられている。このうち、上しごき部材２２は、アームホルダ２０から分岐した支柱２１の上端部に固定されている。また、支柱２１にはスリット２４が形成されており、スリット２４には該スリット２４に沿って上下に移動するリンク２５が掛合している。そしてこのリンク２５に、下しごき部材２３が取り付けられている。上しごき部材２２と下しごき部材２３の対向面は、睫毛化粧料の塗り易さに方向性をもたせ、睫毛化粧料を睫毛の根元から先端方向に引き延ばして塗布できるようにするため、櫛状、もしくは波状といった凹凸が繰り返される形態にすることが好ましい。しごき部材２２、２３の面を櫛状あるいは波状のごとくすることで、塗布と同時にすくことができ、睫毛が束にならずきれいに仕上げることができる。
【００１８】
アームホルダ２０には、第１アーム１０が第１支点１１を中心に回動するのを規制するストッパー２６が設けられている。
【００１９】
また、第２支点３１を中心として、アームホルダ２０と第２アーム３０とが回動するのを抑制するバネ材２７がアームホルダ２０と第２アーム３０の間に取り付けられている。
【００２０】
第１アーム１０は、第１支点１１を中心にして一方は指掛け部１２となっており、他方には２つのロッド１３、１４が回動可能に取り付けられている。このうち一方のロッド１３は、その先端が、下睫毛押さえ部材３５の下方のリンク下部３７ｂと回動可能に接合し、もう一方のロッド１４が、下しごき部材２３の下方のリンク２５と回動可能に接合している。
【００２１】
この睫毛化粧料塗布具１の使用方法としては、まず、図１に示すように、第１アーム１０の指掛け部１２と第２アーム３０の指掛け部３２に指を掛け、第１アーム１０と第２アーム３０を開く。この状態で上睫毛押さえ部材３４と下睫毛押さえ部材３５とは離間し、また、上しごき部材２２と下しごき部材２３も離間している。そこで、上しごき部材２２と下しごき部材２３の対向面にマスカラ剤等の睫毛化粧料を供給し、上睫毛押さえ部材３４と下睫毛押さえ部材３５の間に睫毛の根元がくるように睫毛化粧料塗布具１を目の前に合わせる。ここで、睫毛化粧料の供給箇所は、上下のしごき部材２２、２３の睫毛の根元に近い箇所とすることが好ましい。これにより、睫毛化粧料を睫毛の根元にまで塗布することが可能となる。
【００２２】
次に、第１支点１１を回転軸として、第１アーム１０と第２アーム３０を閉じる矢印Ａ方向に第１アーム１０を動かす。このアーム１０、３０を閉じる第１段階の動作により、ロッド１３が上がり、リンク３７がスリット３６に沿って上方に動き、ロッド１４も上がり、リンク２５がスリット２４に沿って上方に動く。このとき、第２アーム３０と第２支点３１で回動可能に接合しているアームホルダ２０は、バネ材２７の反発力により動かない。
【００２３】
さらに、第１支点１１を回転軸として、矢印Ａのように第１アーム１０を動かすと、図２に示すように、ロッド１３が上がり、リンク上部３７ａがスリット３６の上端に達し、上睫毛押さえ部材３４と下睫毛押さえ部材３５とで睫毛の根元が挟持される。また、ロッド１４も上がり、上しごき部材２２と下しごき部材２３が近接し、一対の睫毛押さえ部材３４、３５に隣接して、睫毛の根元近傍を緩く挟む。この場合、上しごき部材２２と下しごき部材２３との距離は、これらの間に睫毛を挟んだ状態で睫毛の先端方向にしごくことにより、睫毛化粧料を睫毛に均一に塗布できるように、０．０５〜０．２ｍｍ程度の間隙とすることが好ましく、更に好ましくは０．１〜０．１５ｍｍ程度の間隙とする。この間隙が狭すぎて上しごき部材２２と下しごき部材２３とで睫毛を押圧するようになると、睫毛化粧料を塗布し難くなり、また、睫毛が痛みやすくなる。
【００２４】
さらに、第１アーム１０を矢印Ａのように動かすと、第１支点１１を回転軸とする第１アーム１０の動きは、ストッパー２６で止められる。そのため、図３に示すように、第１アーム１０とアームホルダ２０が一体となって、第２支点３１を回転軸として動き、上しごき部材２２と下しごき部材２３が近接状態を保ちつつ、睫毛の根元を挟持している一対の睫毛押さえ部材３４、３５から離れ、睫毛の先端方向に移動する。このときバネ材２７は押し縮められる。
【００２５】
第１アーム１０を矢印Ａのように動かすことにより第１アーム１０と第２アーム３０との開きが小さくなるのにしたがい、リンク２５、リンク下部３７ｂはそれぞれスリット２４、３６に沿って下に向かって動き出すが、リンク下部３７ｂとリンク上部３７ａとの間にあるバネ材３８がリンク上部３７ａを上方に付勢している第1段階の閉じ動作の間は、睫毛の根元は、一対の睫毛押さえ部材３４、３５で挟持されている。
【００２６】
引き続き第１アーム１０を矢印Ａのように動かすと、リンク下部３７ｂはスリット３６に沿ってさらに下方に動き、第２段階の閉じ動作に達し、図４に示すように、バネ材３８がリンク上部３７ａを付勢しなくなるので、リンク上部３７ａもスリット３６に沿って下に動く。したがって、リンク上部３７ａに取り付けられていた下睫毛押さえ部材３５も下に動き、これにより、睫毛の根元を挟持していた睫毛押さえ部材３４、３５が開き、睫毛から離れる。この睫毛押さえ部材３４、３５が開く第２段階の閉じ動作の間も、上しごき部材２２と下しごき部材２３は近接状態を維持している。
【００２７】
こうして、この睫毛化粧料塗布具１によれば、第１アーム１０の指掛け部１２と第２アーム３０の指掛け部３２に指を掛け、第１アーム１０と第２アーム３０が閉じる方向に第１アーム１０を動かすことにより、誰もが容易に、睫毛を傷めることなく、均一に睫毛化粧料を塗布することが可能となる。
【００２８】
睫毛化粧料塗布具１の使用方法としては、上述のように睫毛化粧料の塗布と同時に睫毛をしごく他、塗布してからしごくようにしてもよい。このようにすることで、剤を睫毛先端までむらなく塗ることができる。また、予め睫毛をしごいておき、その後に睫毛化粧料を塗布してもよい。あるいは、睫毛のしごきのみに使用してもよい。
【００２９】
本発明の睫毛化粧料塗布具は、種々の態様をとることができる。例えば、上述の睫毛化粧料塗布具１において、目元で使用するバネ材３８としては、何らかの原因によりリンク３７から外れた場合の安全性を高めるため、シリコーンゴム等の柔軟な材料から形成された弾性体を使用することができる。
【００３０】
また、睫毛化粧料塗布具１には、一対のしごき部材の間に睫毛化粧料を注出する睫毛化粧料供給手段を設けてもよい。さらに、一対の睫毛押さえ部材と一対のしごき部材の連動する動きを、鋏状に回動可能に接合した一対のアームの開閉によって機械的に行う他、小型のモーター駆動によって行っても良い。
【００３１】
また、本発明の塗布具を用いて睫毛に塗布する化粧料としては、マスカラ剤の他に、マスカラ下地、睫毛ケア保護剤等をあげることができる。
【産業上の利用可能性】
【００３２】
本発明は、睫毛への化粧料の塗布に有用となる。
【図面の簡単な説明】
【００３３】
【図１】使用開始前の第１アームと第２アームが開いた状態の睫毛化粧料塗布具の（ａ）側面図、（ｂ）正面図、及び（ｃ）斜視図である。
【図２】睫毛の根元を挟持した状態の睫毛化粧料塗布具の（ａ）側面図、及び（ｂ）斜視図である。
【図３】睫毛しごき部材が睫毛押さえ部材から離れていく状態の睫毛化粧料塗布具の（ａ）側面図、及び（ｂ）斜視図である。
【図４】一対の睫毛押さえ部材が開いた状態の睫毛化粧料塗布具の（ａ）側面図、及び（ｂ）斜視図である。
【符号の説明】
【００３４】
１    睫毛化粧料塗布具
１０    第１アーム
１１    第１支点
１２    指掛け部
１３    ロッド
１４    ロッド
２０    アームホルダ
２１    アームホルダから分岐した支柱
２２    上しごき部材
２３    下しごき部材
２４    スリット
２５    リンク
２６    ストッパー
２７    バネ材
３０    第２アーム
３１    第２支点
３２    指掛け部
３３    第２アームから分岐した支柱
３４    上睫毛押さえ部材
３５    下睫毛押さえ部材
３５ａ  下睫毛押さえ部材の端部
３６    スリット
３７    リンク
３７ａ  リンク上部
３７ｂ  リンク下部
３８    バネ材
【図１】
2007006969.tif 000003
【図２】
2007006969.tif 000004
【図３】
2007006969.tif 000005
【図４】
2007006969.tif 000006